(57)【要約】【課題】  従来の交通安全ライトには車両等に装着者の位置を示す役割があった。しかし、車両等の運転手に装着者の行動を伝える手段はなかった。また、装着者の運動に対する意欲を向上させる効果は無かった。本発明は、以上のような欠点をなくすために考えたものである。【解決手段】  ３軸加速度センサー（４）の出力値をマイクロコンピューター（３）で処理し、３軸加速度センサー（４）の出力値にあわせてライト（５、６）の点滅や色彩を制御する、交通安全ライトを発明した。これにより、装着者の動作がライト（５、６）の点滅や色彩により表現できるようになる。これにより、車両等の運転手から見て装着者の行動を見て取ることができるようになる。また、交通安全ライトが装着者の動作を表現することにより、装着者の運動に対する意欲が高まる。【選択図】図１
2014183035.tif 000002
【特許請求の範囲】
【請求項１】
３軸加速度センサー（４）の出力値をマイクロコンピューター（３）で処理し、３軸加速度センサー（４）の出力値にあわせてライト（５、６）の点滅や色彩を制御し、装着者の動作を点滅や色彩で表現する、交通安全ライト。
【発明の詳細な説明】
【技術分野】
【０００１】    本発明は、３軸加速度センサー（４）の出力値をマイクロコンピューター（３）で処理し、３軸加速度センサー（４）の出力値にあわせてライト（５、６）の点滅や色彩を制御する、交通安全ライトに関するものである。
【背景技術】
【０００２】    ダイエットやマラソンの練習などで、夕方から夜間にかけての視界が悪い時間帯に道路を走ることがある。このような場合、交通安全ライトを身につけていないと危険である。夕方の時間帯は特に視界が悪く、点灯するだけの交通安全ライトでは車両等の運転者に対しての注意喚起が不十分である。これに対し、点滅型の交通安全ライトはより効果的な注意喚起が可能になる。しかし、車両等の運転者に装着者の行動を伝える手段はなかった。【０００３】    また、ジョギングやマラソンは身体的疲労を伴うため、さぼりがちになってしまうことがある。これまでの交通安全ライトには装着者の運動に対する意欲を向上させる効果は無かった。
【先行技術文献】
【０００４】
【特許文献】
【特許文献】  特開２００３−３２７１８０号公報
【発明の概要】
【発明が解決しようとする課題】
【０００５】    解決しようとする問題点は、これまでの交通安全ライトが装着者の動作を表現できなかった点、及び交通安全ライトが装着者の運動に対する意欲を高めることがなかった点である。
【課題を解決するための手段】
【０００６】    ３軸加速度センサー（４）の出力値をマイクロコンピューター（３）で処理し、３軸加速度センサー（４）の出力値にあわせてライト（５、６）の点滅や色彩を制御する、交通安全ライトを発明した。これにより、装着者の動作がライト（５、６）の点滅や色彩により表現できるようになる。これにより、車両等の運転手から見て装着者の行動を見て取ることができるようになる。また、交通安全ライトが装着者の動作を表現することにより、装着者の運動に対する意欲が高まる。
【発明の効果】
【０００７】    ダイエットやマラソンの練習などで、夕方から夜間にかけての視界が悪い時間帯に道路を走ることがある。このような場合、交通安全ライトを身につけていないと危険である。夕方の時間帯は特に視界が悪く、点灯するだけの交通安全ライトでは車両等の運転者に対しての注意喚起が不十分である。これに対し、点滅型の交通安全ライトはより効果的な注意喚起が可能になる。本発明では交通安全ライトをさらに進歩させ、装着者の動作に合わせて点滅、色彩変化するようにした。例えば、装着者が停止している場合は交通安全ライトが青色に光る。装着者が歩き出すと、歩く速度に応じて交通安全ライトが緩やかに赤く点滅する。装着者が走り出すと、走る速度に応じて交通安全ライトが短い間隔で赤く点滅する。このように交通安全ライトが装着者の動作を表現すれば、車両等の運転者から見て装着者の動作の予測が容易になり、より高い安全性を提供する。【０００８】    また、ジョギングやマラソンは身体的疲労を伴うため、さぼりがちになってしまうことがある。本発明の交通安全ライトは装着者の動作が即座に点滅、色彩変化という形で表現されるため、装着者は体を動かすことにより高い達成感を感じることができる。これにより、装着者の運動に対する意欲を高めることができる。同様のことが、ペットの散歩にも言える。【０００９】    本発明では３軸加速度センサーを用いるが、これは交通安全ライトの装着時に、ライトの地面に対する傾きに関わらず、装着者の動作を表現できるようにするためである。例えば、Ｘ、Ｙ、Ｚ軸の加速度の平均値を取ると、ライトの地面に対する傾きに関わらず加速度を求めることができる。この事は、動きの激しい手首などの部位や、回転するペットの首輪など、ライトの傾きが頻繁に変わりうる部位に装着する際に効果を発揮する。
【図面の簡単な説明】
【００１０】
【図１】  本発明の実施方法の一例である。図の例では、上腕部に交通安全ライトを装着する。
【図２】  本発明の回路図の一例である。
【図３】  本発明の実施方法の一例である。図の例では、ナスカン等を用いて交通安全ライトをペットの首輪などに装着する。
【発明を実施するための形態】
【００１１】    以下、本発明の実施の形態について説明する。３軸加速度センサー（４）とマイクロコンピューター（３）を接続する。
【００１２】    また、マイクロコンピューター（３）で３軸加速度センサー（４）の出力値を解析する。
【００１３】    また、マイクロコンピューター（３）とライト（５、６）を接続する。ライト（５、６）は色が異なる。２色以上のライトがあればよい。
【００１４】    また、マイクロコンピューター（３）で３軸加速度センサー（４）出力値の解析結果に応じてライト（５，６）の点滅や色彩を制御する。本発明は、以上のような構造でこれを使用するときは、装着者が身に着ける。
【実施例１】
【００１５】    図１は本発明装置の１実施例であり、アームバンド状の固定ベルト（２）に発光部（１）が取り付けられている。発光部（１）には、マイクロコンピューター（３）３軸加速度センサー（４）ライト（５、６）が収められている。本実施例ではこれを、ジョギングをする人物が上腕部に装着している。これにより、腕の振りと連動してライト（５，６）が点滅や色彩表現を行う。
【実施例２】
【００１６】    図３は本発明装置の１実施例であり、固定金具であるナスカン（１１）に発光部（１）が取り付けられている。発光部（１）には、マイクロコンピューター（３）３軸加速度センサー（４）ライト（５、６）が収められている。本実施例ではこれを、散歩中の犬の首輪に装着している。これにより、犬の歩行、走行と連動してライト（５，６）が点滅や色彩表現を行う。本実施例では犬に装着させたが、人間が腰などに装着しても良い。
【符号の説明】
【００１７】１    発光部
２    ベルト
３    マイクロコンピューター
４    ３軸加速度センサー
５    ＬＥＤ色１
６    ＬＥＤ色２
７    抵抗（ＬＥＤ用）
８    ｘ軸加速度出力
９    ｙ軸加速度出力
１０  ｚ軸加速度出力
１１  ナスカン
【図１】
2014183035.tif 000003
【図２】
2014183035.tif 000004
【図３】
2014183035.tif 000005